(57)【要約】      （修正有）【課題】容易に発音情報を把握できる教材における発音情報配置構造を提供する。【解決手段】単語２を表示する単語表示部４と、単語２に対応付けてその発音情報３を表示する発音情報表示部５とを有する教材において、発音情報表示部５を単語表示部４に重ねて配置し、発音情報３と単語２とを重ねて表示する。発音情報３は単語２の音節毎の発音を表す音節情報６であり、この音節情報６は中国語の共通語における音節毎の声調を表す声調情報６ａ〜６ｄ、又は中国語の軽声を表わす軽声情報を含む。【選択図】図１
0003193230.tif 000002
【実用新案登録請求の範囲】
【請求項１】
単語を表示する単語表示部と、前記単語に対応付けてその発音情報を表示する発音情報表示部とを有する教材等における発音情報配置構造において、前記単語表示部に対し、その少なくとも一部が重なるように前記発音情報表示部を配置することを特徴とする教材等における発音情報配置構造。
【請求項２】
前記単語と前記発音情報とが重なることを特徴とする請求項１に記載の教材等における発音情報配置構造。
【請求項３】
前記発音情報は前記単語の音節毎の発音を表す音節情報であり、前記音節情報は中国語の共通語における前記音節毎の声調を表す声調情報を含むことを特徴とする請求項１または２に記載の教材等における発音情報配置構造。
【請求項４】
前記音節情報は中国語の軽声を表す軽声情報を含み、軽声で発音する音節の漢字をそれ以外の音節の漢字よりも小さくすることにより前記軽声情報を表示することを特徴とする請求項３に記載の教材などにおける発音情報配置構造。
【請求項５】
発音順に各音節の前記声調が昇順となるように複数の前記単語を配列することを特徴とする請求項３または４に記載の教材等における発音情報配置構造。
【考案の詳細な説明】
【技術分野】
【０００１】
本考案は、外国語、自国語、方言等の発音情報を表示する教材等における発音情報配置構造に関する。
【背景技術】
【０００２】
外国語の学習において単語とその正確な発音とを結び付けて習熟することが必須である。そのため辞書等の学習用教材では、単語とその発音記号等の発音情報とを併記する配置構造が採られている。
【０００３】
この配置構造には、従来、単語と発音情報とを横一列状に横並びに配置する横並び配置構造と、単語と発音情報とを対応付けて上下二段に配置する上下二段配置構造（特許文献１）とがある。
【先行技術文献】
【特許文献】
【０００４】
【特許文献１】特開２０１１−７６３８４号公報
【考案の概要】
【考案が解決しようとする課題】
【０００５】
横並び配置構造では、単語と発音情報とが左右に離れるため、単語を構成する文字とその文字の発音情報との対応関係を把握し難い欠点がある。これに対して上下二段配置構造は、横並び配置構造に比較して単語の文字とその文字の発音情報との対応関係を容易に把握できる利点がある。
【０００６】
しかし、外国語の学習用教材の場合には、多くの利用者が習熟未了の段階でその教材を利用するにも拘わらず、従来の上下二段配置構造では単語と発音情報とを上下の異なる段に配置しているため、両者を同時に把握する上では依然として問題があり、これが外国語の学習の支障をきたす一因となっている。
【０００７】
本考案は、かかる従来の問題点に鑑み、容易に発音情報を把握できる教材等における発音情報配置構造を提供することを目的とする。
【課題を解決するための手段】
【０００８】
本考案は、単語２を表示する単語表示部４と、前記単語２に対応付けてその発音情報３を表示する発音情報表示部５とを有する教材等における発音情報配置構造において、前記単語表示部４に対し、その少なくとも一部が重なるように前記発音情報表示部５を配置するものである。
【０００９】
また、前記単語２と前記発音情報３とが重なる構成としてもよい。更に、前記発音情報３は前記単語２の音節毎の発音を表す音節情報６であり、前記音節情報６は中国語の共通語における前記音節毎の声調を表す声調情報６ａ〜６ｄを含むものでもよい。
【００１０】
また、前記音節情報６は中国語の軽声を表す軽声情報６ｅを含み、軽声で発音する音節の漢字をそれ以外の音節の漢字よりも小さくしてもよい。また、発音順に各音節の前記声調が昇順となるように複数の前記単語２を配列する構成としてもよい。
【考案の効果】
【００１１】
本考案では、発音情報を容易に把握することが可能である。
【図面の簡単な説明】
【００１２】
【図１】本考案の第１の実施形態を示すテキストの表示面を説明する図である。
【図２】本考案の第１の実施形態を示す一声情報〜四声情報の説明図である。
【図３】本考案の第２の実施形態を示す軽声の表示例を説明する図である。
【図４】本考案の第３の実施形態を示す表示部の配置図である。
【図５】本考案の第４の実施形態を示す単語リストの説明図である。
【考案を実施するための形態】
【００１３】
以下、本考案の実施形態を図面に基づいて詳述する。なお、各実施形態において、同一名称部位には同一の符号を付して、その説明を極力省略する。
【００１４】
図１、図２は本考案の第１の実施形態を例示している。図１において、１は中国語学習用のテキストであって、このテキスト１には本考案の発音情報配置構造が採用されており、その配置構造を、日本語で「ところにより雨が降るでしょう」を意味する「局部地区有小雨」の例文を参照しながら説明する。
【００１５】
この「局部地区有小雨」の文は、「局部」、「地区」、「有」及び「小雨」の４つの単語２を横一列状に配列したものであり、その４つの単語２に対応する４つの発音情報３が各単語２毎に重ねて表示されている。４つの単語２は４つの単語表示部４に夫々表示され、また４つの発音情報３は４つの発音情報表示部５に夫々表示されており、その各単語表示部４と各発音情報表示部５は略同一の大きさで重ねて配置されている。
【００１６】
これらの単語２には、「有」のように１個の音節を１個の漢字で表記する単音節単語２ａと、「局部」、「地区」及び「小雨」のように２個の音節を２個の漢字で表記する二音節単語２ｂとがある。なお、単語２には三音節以上のものもある。
【００１７】
発音情報３は単語２の音節毎の発音を表す音節情報６により構成されている。音節情報６は一音節が一漢字で表記されるため、単語２を構成する漢字の数に対応している。従って、発音情報３は、例えば「有」のような単音節単語２ａの場合には１個の音節情報６により構成され、また「局部」、「地区」及び「小雨」のような二音節単語２ｂの場合には各２個の音節情報６により構成される。
【００１８】
この実施形態では、音節情報６として音節毎の声調を表す声調情報６ａ〜６ｄが採用され、その声調情報６ａ〜６ｄが音節毎の漢字に対応して表示されている。これは、中国語の音節には声母、韻母及び声調の３大要素があるが、音の高低変化である声調が最も難しく、その習得が中国語の学習に必要不可欠であるためである。
【００１９】
共通語の声調には、「区」の音節のような一声と、「局」、「有」及び「小」の音節のような二声と、「雨」の音節のような三声と、「部」及び「地」の音節のような四声との四種類がある。従って、声調情報６ａ〜６ｄにも一声を表す一声情報６ａと、二声を表す二声情報６ｂと、三声を表す三声情報６ｃと、四声を表す四声情報６ｄとの四種類があり、図２に示すように単純な線状の表現態様で表示されている。
【００２０】
即ち、四種類の声調は、一声〜四声で音の高低が四種類に変化するため、声調情報６ａ〜６ｄは、図２に示すように、一声〜四声の音の高低変化を模して、一声情報６ａは「￣」で、二声情報６ｂは「／」で、三声情報６ｃは「＿」で、四声情報６ｄは「＼」で夫々表示されている。そして、この一声情報６ａ〜四声情報６ｄの何れかが、各単語２の各漢字に対応付けて発音情報表示部５に表示されている。
【００２１】
例えば、「局部」の単語２の場合には、図１に示すように、二声で発音される漢字「局」に対応して「／」の二声情報６ｂが、四声で発音される漢字「部」に対応して「＼」の四声情報６ｄが各漢字に重ねて発音情報表示部５に表示されている。「局部」以外の各単語２についても同様である。
【００２２】
このように単語表示部４に対して発音情報表示部５を配置するに当たって、単語表示部４と発音情報表示部５との両者が略同一位置に重なるように配置することにより、単語表示部４に表示された単語２と、その単語２に対応付けて発音情報表示部５に表示された発音情報３とが略同一位置に重なる配置構造となるため、従来の上下二段配置構造の場合に比較して発音情報３を容易に把握することができる。
【００２３】
またその発音情報表示部５の発音情報３には、単語２の音節毎の発音を表す音節情報６として、その音節の声調を表す声調情報６ａ〜６ｄを表示することにより、中国語の学習に必要不可欠である声調の習熟に大きく寄与することができる。特に声調情報６ａ〜６ｄを一声〜四声の変化を模した単純な線状に表示することにより、その音節の声調情報６ａ〜６ｄから一声〜四声の声調を容易に判読することができる。
【００２４】
なお、中国語の方言には「陰平」、「陽平」、「上声」及び「去声」の声調があるが、これらは共通語の一声〜四声に対応するため、共通語と同様に表示することができる。
【００２５】
図３は本考案の第２の実施形態を例示し、軽声を含む場合を示す。例えば、日本語で「激しい」を意味する「利害」の二音節単語２ｂの場合には、漢字「利」が四声で発音され、それに続く漢字「害」が軽声で発音される。そのため発音情報表示部５には、「利」の四声を表す四声情報６ｄと、「害」の軽声を表す軽声情報６ｅとが各漢字に重ねて表示されている。
【００２６】
この軽声情報６ｅが、図３に示すように、軽声で発音される音節の漢字「害」をそれ以外の音節の漢字よりも小さくすることにより、その漢字は軽声であることが表示されている。これは、軽声が短く、弱く発音されることを模したものである。なお、他の構成は第１の実施形態と共通とする。
【００２７】
このように、軽声で発音される音節の漢字を他の漢字よりも小さく表示することにより、そこが軽声の音節であり、短く、弱く発音される箇所であることを容易に把握することができる。
【００２８】
図４は本考案の第３の実施形態を例示し、単語表示部４と発音情報表示部５との一部が重なる場合を示す。
【００２９】
図４（ａ）では、単語表示部４と発音情報表示部５との何れか一方、例えば発音情報表示部５が他方の単語表示部４よりも大きく、他方の単語表示部４が一方の発音情報表示部５の領域内に略平行に配置されている。図４（ｂ）では、単語表示部４と発音情報表示部５とが略同一大きさでズレて略平行に配置されている。なお、図４（ａ）（ｂ）の何れの場合にも、発音情報表示部５には、単語表示部４の単語２の各音節毎の音節情報６である声調情報６ａ〜６ｂが各音節に対応して表示されている。また、他の構成は第１の実施形態と共通とする。
【００３０】
このような場合には、単語表示部４と発音情報表示部５とが略一致せずにその一部が重なる配置構造となるが、単語表示部４に表示される単語２と、発音情報表示部５に表示される音節情報６、声調情報６ａ〜６ｄとの対応関係が明瞭である限り、従来の上下二段配置構造に比較して容易に把握することができる。従って、単語表示部４と発音情報表示部５は必ずしも略同一位置に同一大きさで重ねて配置する必要はない。
【００３１】
図５は本考案の第４の実施形態を例示し、単語リスト７を示す。この単語リスト７には、図５に示すように、１４個の二音節単語２ｂとその声調情報６ａ〜６ｄとが左列及び右列の縦二列に重ねて配列されており、その各二音節単語２ｂは一音節目からの発音順に各音節の声調が昇順となるように配列されている。
【００３２】
左列には、一音節目が一声の単語２が、それらの二音節目の声調が昇順となるように、「搬家」、「悲哀」、「猜疑」、「出国」、「兵法」、「操作」、「出来」の順に配列されている。右列にも同様に一音節目が二声の「常温」、「才能」及び「成本」が配列され、それに続いて一音節目が三声の「打球」及び「尺寸」が配列され、その下側に一音節目が四声の「不安」及び「到了」が配列されている。なお、単語２は三音節以上でもよい。また単語２の配列は一列又は三列以上であってもよい。他の構成は第１の実施形態と同様である。
【００３３】
このように複数の単語２を声調が昇順となるように配列することにより、重なる発音情報３を容易に把握できる上、前後に配列される単語２の声調情報６ａ〜６ｄを一覧して対比できる。
【００３４】
以上、本考案の実施形態について説明したが、本考案はこれらの実施形態に限定されるものではなく、本考案の趣旨を逸脱しない範囲で種々の変更が可能である。例えば、何れの実施形態においても、テキスト１は中国語学習用である必要はなく、中国語以外の外国語又は日本語の学習用でもよく、また、各国語における方言等の学習用でもよい。
【００３５】
音節情報６は声調情報６ａ〜６ｄ又は軽声情報６ｅである必要はなく、母音、子音等の情報でもよい。発音情報３は各実施形態におけるような音節毎の音節情報６だけでなく、音節と１対１ではないものを含んでもよい。各国語において夫々採用している発音記号等の発音情報３を発音情報表示部５に表示してもよい。
【００３６】
また、テキスト１は一枚の枚葉から成る必要はなく、複数の枚葉で構成されていてもよい。さらに、両表示部４，５は平面ではなく曲面等の立体面に配置されてもよい。表示部４，５を配置する物はテキスト１に限られず辞書のようなテキスト１以外の教材でもよく、また、教材に限られず業務用の文書等でもよい。
【００３７】
各実施形態では表示部４，５をテキスト１の表示面に配置したが、表示部４，５を液晶ディスプレイ等の画像表示装置の表示画像上に配置してもよい。また、スクリーンなどにプロジェクター、映写機等により投影される画像上に表示部４，５が配置されるように構成してもよい。
【符号の説明】
【００３８】
１    テキスト
２    単語
３    発音情報
４    単語表示部
５    発音情報表示部
７    単語リスト
【図１】
0003193230.tif 000003
【図２】
0003193230.tif 000004
【図３】
0003193230.tif 000005
【図４】
0003193230.tif 000006
【図５】
0003193230.tif 000007
【手続補正書】
【提出日】平成26年7月22日(2014.7.22)
【手続補正１】
【補正対象書類名】実用新案登録請求の範囲
【補正対象項目名】全文
【補正方法】変更
【補正の内容】
【実用新案登録請求の範囲】
【請求項１】
表示面に、単語を表示する単語表示部と、前記単語に対応付けてその発音情報を表示する発音情報表示部とを備えた教材において、前記単語表示部に対し、その少なくとも一部が重なるように前記発音情報表示部を配置したことを特徴とする教材における発音情報配置構造。
【請求項２】
前記単語と前記発音情報とを重ねて配置したことを特徴とする請求項１に記載の教材における発音情報配置構造。
【請求項３】
前記単語表示部と前記発音情報表示部とを略同一位置に重ねて配置したことを特徴とする請求項１または２に記載の教材における発音情報配置構造。
【請求項４】
前記単語表示部と前記発音情報表示部とが略同一の大きさであることを特徴とする請求項１〜３の何れかに記載の教材における発音情報配置構造。
【手続補正３】
【補正対象書類名】明細書
【補正対象項目名】０００１
【補正方法】変更
【補正の内容】
【０００１】
本考案は、外国語、自国語、方言等の発音情報を表示する教材における発音情報配置構造に関する。
【手続補正４】
【補正対象書類名】明細書
【補正対象項目名】０００７
【補正方法】変更
【補正の内容】
【０００７】
本考案は、かかる従来の問題点に鑑み、容易に発音情報を把握できる教材における発音情報配置構造を提供することを目的とする。
【手続補正５】
【補正対象書類名】明細書
【補正対象項目名】０００８
【補正方法】変更
【補正の内容】
【０００８】
本考案は、表示面に、単語２を表示する単語表示部４と、前記単語２に対応付けてその発音情報３を表示する発音情報表示部５とを備えた教材において、前記単語表示部４に対し、その少なくとも一部が重なるように前記発音情報表示部５を配置したものである。
【手続補正６】
【補正対象書類名】明細書
【補正対象項目名】０００９
【補正方法】変更
【補正の内容】
【０００９】
また、前記単語２と前記発音情報３とを重ねて配置してもよい。更に、前記単語表示部４と前記発音情報表示部５とを略同一位置に重ねて配置してもよい。
【手続補正７】
【補正対象書類名】明細書
【補正対象項目名】００１０
【補正方法】変更
【補正の内容】
【００１０】
また、前記単語表示部４と前記発音情報表示部５とが略同一の大きさであってもよい。